(57)【特許請求の範囲】
【請求項１】
少なくとも使用時には練習用パター（３，３Ａ）が装着されるパッティング練習用器具（１，１Ａ）であって、
ゴルファーの背後に位置する回動支持板（４，４Ａ）と、
前記練習用パター（３，３Ａ）と前記回動支持板（４，４Ａ）を連結する、回動可能な連結アーム（５，５Ａ）を有し、
前記回動支持板（４，４Ａ）は、前記連結アーム（５，５Ａ）の回動中心となる回動軸（４６，４６Ａ）を有するものにおいて、
前記回動軸（４６，４６Ａ）は高さが調節可能であり、
前記回動軸（４６，４６Ａ）を、前記練習用パター（３，３Ａ）のパターシャフト（３１）の延長線（３２）と直交する直線のうち、ゴルファーの両肩の中点（６３）を通る直線を延長させ、その直線が前記回動支持板（４，４Ａ）と交わる位置になるように設定することが可能である
ことを特徴とするパッティング練習用器具。
【請求項２】
ゴルファーの股関節（６２）を安定化させる、高さ調節可能な腰当て（４７，４７Ａ）をさらに有する請求項１記載の器具。
【請求項３】
前記練習用パター（３，３Ａ）が常時装着されている請求項１又は２に記載の器具。
【請求項４】
前記回動支持板（４，４Ａ）は、「く」の字形の板材であり、下部の垂直部（４１，４１Ａ）と、この垂直部（４１，４１Ａ）に続く延長部（４２，４２Ａ）からなり、この延長部（４２，４２Ａ）はゴルファーから離れる方向に傾斜しており、その傾斜は打球時のパターシャフト（３１）の前記延長線（３２）とほぼ平行である請求項１〜３のいずれかに記載の器具。
【請求項５】
前記連結アーム（５，５Ａ）がゴルファーの動きの邪魔とならないように湾曲している請求項１〜４のいずれかに記載の器具。
【請求項６】
ゴルファーが両足を載せる足台（２）をさらに有する請求項１〜５のいずれかに記載の器具。
【発明の詳細な説明】
【技術分野】
【０００１】
本発明は、ゴルフの練習用具に関し、特にパッティング練習用器具に関する。
【背景技術】
【０００２】
グリーン上でボールをホールに入れるパットについて、一般に「パットに型なし」といわれる。しかし、ボールを打つのにパターを使う以上、パターに正確な精度と必要かつ十分なエネルギーが与えられればよいわけで、これらはプレーする人間が正しい練習により会得できるはずのものである。そのための練習器具が身近にあることが好ましい。
【０００３】
従来、この目的でいくつかの発明・考案が提案されている。例えば、特許第５３００６０５号、特許第３４０８４１２号、特開平１０―２７２２１５号、特開平７―８０１１０号、特開平４―３６１７６２号、実用新案登録第３１６１５２９号などである。実際に市販されているものもある。
【先行技術文献】
【特許文献】
【０００４】
【特許文献１】特許第５３００６０５号
【特許文献２】特許第３４０８４１２号
【特許文献３】特開平１０―２７２２１５号
【特許文献４】特開平７―８０１１０号
【特許文献５】特開平４―３６１７６２号
【特許文献６】実用新案登録第３１６１５２９号
【発明の概要】
【発明が解決しようとする課題】
【０００５】
上記従来技術はいずれも、支持台上にパター案内具を設け、この案内具のスライド運動に沿ってパターの移動軌跡が直線的になるように練習するというものである。
【０００６】
しかし、ゴルフのクラブに限らず、野球のバットでも餅つきの杵にしても太陽の周りを回る地球にしてもすべて回転中心があり、この回転中心の回りを回転させることが最も精度を正確なものとし、省力化ともなるのが明らかである。
【０００７】
本発明は、ゴルフパターに回動中心を設けるという発想に基づいた、新規なパッティング練習用器具を提供することを目的とする。
【課題を解決するための手段】
【０００８】
本発明のパッティング練習用器具は、少なくとも使用時には練習用パター３，３Ａが装着されるパッティング練習用器具１，１Ａであって、ゴルファーの背後に位置する回動支持板４，４Ａと、前記練習用パター３，３Ａと前記回動支持板４，４Ａを連結する、回動可能な連結アーム５，５Ａを有し、前記回動支持板４，４Ａは、前記連結アーム５，５Ａの回動中心となる回動軸４６，４６Ａを有するものにおいて、前記回動軸４６，４６Ａは高さが調節可能であり、前記回動軸４６，４６Ａを、前記練習用パター３，３Ａのパターシャフト３１の延長線３２と直交する直線のうち、ゴルファーの両肩の中点６３を通る直線を延長させ、その直線が前記回動支持板４と交わる位置になるように設定することが可能であることを特徴とする（請求項１）。
【０００９】
好ましくは、ゴルファーの股関節６２を安定化させる、高さ調節可能な腰当て４７，４７Ａをさらに設ける（請求項２）。
【００１０】
好ましくは、前記回動軸４６，４６Ａの高さが調節可能である（請求項３）。
【００１１】
好ましくは、前記練習用パター３，３Ａが常時装着されている（請求項４）。
【００１２】
また好ましくは、前記回動支持板４，４Ａは、「く」の字形の板材であり、下部の垂直部４１，４１Ａと、この垂直部４１，４１Ａに続く延長部４２，４２Ａからなり、延長部４２，４２Ａはゴルファーから離れる方向に傾斜しており、その傾斜は打球時のパターシャフト３１の延長線３２とほぼ平行である（請求項５）。
【００１３】
さらに好ましくは、前記連結アーム５，５Ａがゴルファーの動きの邪魔とならないように湾曲している（請求項６）。
【００１４】
ゴルファーが両足を載せる足台２をさらに設けることもできる（請求項７）。
【発明の効果】
【００１５】
本発明請求項１の器具によれば、ゴルファーが正しい位置にいることを前提にすれば、パターの回転中心の位置が自ずと決定されるので、ゴルファーはこのパターの回転中心を中心としてスウィングすればよい。連結アームは回動軸を中心として滑らかに回転運動し、ゴルファーのスウィングを補助する。この器具を使用してバッティング練習を繰り返すことにより、ゴルファーは正しいスウィングを容易に会得することができる。
【００１６】
請求項２の器具によれば、高さ調節可能な腰当てにより、ゴルファーの股関節を安定化させることができるので、より正確なパッティングが可能となる。
【００１７】
請求項３の器具によれば、回動軸の高さ調節を行うことができ、ゴルファーの伸長や体格に合わせることができる。
【００１８】
請求項４の器具によれば、練習のたびごとにいちいちパターの取り外しや取り付けの作業をしなくてもよくなる。
【００１９】
請求項５の器具によれば、回動軸とゴルファーの肩が一直線となり、パターの回転中心を決定しやすくなる。
【００２０】
請求項６の器具によれば、連結アームがゴルファーの動きの邪魔とならない。
【００２１】
以下、添付の図面に基づき、本発明の実施例を説明する。
【図面の簡単な説明】
【００２２】
【図１】本発明の第１実施例に係るパッティング練習用器具の斜視図である。
【図２】同パッティング練習用器具を使用しているゴルファーの側面図である。
【図３】同パッティング練習用器具を使用しているゴルファーの動きを示す平面図である。
【図４】同パッティング練習用器具を使用しているゴルファーの動きを示す側面図である。
【図５】本発明の第２実施例に係るパッティング練習用器具の斜視図である。
【図６】同パッティング練習用器具の正面一部拡大図である。
【図７】図６の縦断面図である。
【実施例１】
【００２３】
図１に示すように、本実施例のパッティング練習用器具１は、ゴルファーが両足を載せる足台２と、ゴルファーが握るパター３と、ゴルファーの背後に位置する回動支持板４と、パターと回動支持板４を連結する連結アーム５を有する。
【００２４】
足台２は、ゴルファーが両足を載せることのでき、背後の回動支持板４を支持するのに十分な広さを有する。足台２の上には足の位置を特定するための目印２１が設けられている。
【００２５】
回動支持板４は、「く」の字形の板材であり、足台にボルトなどで固定された垂直部４１と、この垂直部４１に続く延長部４２からなる。延長部４２はゴルファーから離れる方向に傾斜している。傾斜角度は打球時のパターシャフト３１の延長線３２（図２）とほぼ平行になるように設定される。このままでは回動支持板４は不安定となりやすいので、これを安定的に固定するため支持板４３が回動支持板４の後方に配置されている。
【００２６】
図２に示すように、この傾斜面の上方に回動軸４６が高さ調節可能なように設けられており、この軸線６上にパター回転中心６１が位置する。傾斜面の下方には股関節６２の位置を安定化させるための腰当て４７が高さ調節可能なように設けられている。両者の高さ調節の機構としては、例えば、回動軸４６の支持部（図示せず）及び腰当て支持部４８を延長部４２の長孔４９に沿ってスライド可能とし、延長部４２の背面の特定位置でそれぞれナット４４、４５などにより固定するものとすることができる。
【００２７】
回動軸４６とパター３を連結する連結アーム５はゴルファーの動きの邪魔とならないように半円状に湾曲させている。連結アーム５の両末端は軸受５１，５２を介して回動軸４６及びパター３に取り付けられている。
【００２８】
回動軸４６は、できるだけ滑らかな動きをすることが必要であり、そのためにボールベアリング（図示せず）を使用することが好ましい。回動軸４６の軸線６上の回転中心６１は、図２〜4に示すように、パター３をゴルファーがスウィングするときの回転中心となる部分である。
【００２９】
前記説明からわかるように、本発明にとって、回動軸４６及び回転中心６１の位置選定は極めて重要であり、次のようにして決定される。
【００３０】
ゴルファーの両足は図1に示す足台の目印２１のところにおかれる。ゴルファーの目の位置は、図２に示すように、ボール７の真上である。パターシャフト３１の延長線と直交する直線のうち、ゴルファーの肩６３を通る直線を延長させ、その直線が回動支持板４と交わる点が回動軸４６の位置である。腰当て４７は股関節６２と一直線になる位置に高さ調節される。
【００３１】
この状態でゴルファーがパター３をグリップすると、パターの回転中心６１と股関節６２の位置が決定されるので、ゴルファーはこのパターの回転中心６１を中心としてスウィングすることになる。連結アーム５は回動軸４６を中心として滑らかに回転運動し、ゴルファーのスウィングを補助することができる。
【００３２】
図４において、パターヘッド３３の移動軌跡が一点鎖線８１により示されている。想像上の球体８２の外表面に沿って移動している。なお、一点鎖線８３はパターの回転中心６１における球体８２を切った平面円であり、一点鎖線８４はグリーンに見立てた足台を表している。球体８２は図３にも描かれている。図３において一点鎖線８５はゴルファーの肩幅を示している。
【００３３】
ゴルファーの体格や身長によって当然、パター３の回転中心６１は異なるが、その調節は回動支持板４及び腰当て４７の高さ調節を行うことにより容易に行うことができる。
【００３４】
パター３は取り付けや取り外しが自在なものとしておき、販売時や不使用時には外しておいたり、ゴルファーの好みのものにいつでも取り換えられるようにしたりすることが好ましい。その意味で、パター３は本発明器具を構成する必須部品ではない。
【実施例２】
【００３５】
図５〜７は本発明の第２実施例である。第1実施例と同じ機能を果たす部品は同じ符号の後に「Ａ」をつけている。以下、第1実施例との相違点を中心にして述べる。
【００３６】
第２実施例では、足台はなくなり、回動支持板４Ａを土台４０が支持している。ゴルファーは床又は地面に直接足をつけて練習を行う。回動支持板４Ａは細くなり、軽量化している。
【００３７】
第２実施例は、第１実施例においてゴルファーが勘で行っていた回動軸４６Ａの高さの微調節を、調整ネジを使用することにより、正確に行うようにしたことが特徴である。その調節機構９を図６及び図７に示す。
【００３８】
調節機構９は、回動支持板４Ａの背後に取り付けられ、断面Ｌ字形の固定枠９１と、断面Ｌ字形の可動枠９２と、調整ボルト９４と、位置固定ネジ９６を有する。可動枠９２は第１固定ナット９７を有する。調整ボルト９４は、第１摘み９３及び第２固定ナット９８を有する。位置固定ネジ９６は、第２摘み９５及び第３固定ナット９９を有する。
【００３９】
回動軸４６Ａは長孔４９Ａを突き抜け、回動支持板４Ａの背後で可動枠９２にナット４４Ａにより固定されているので、可動枠９２に従って上下動が可能である。第１実施例について述べたように、回動軸４６Ａは滑らかに回動させるためにボールベアリング４６１を有している。
【００４０】
可動枠９２は、固定枠９１及び可動枠９２を貫通する調節ボルト９４により、上下動が可能である。すなわち、第１摘み９３を回転させると、固定枠９１が回動支持板４Ａに固定されているので、固定されていない可動枠９２のみが第１固定ナット９７及び第２固定ナット９８の作用で移動することになるからである。
【００４１】
適当な高さでの可動枠９２の位置固定及び開放は位置固定ネジ９６により行う。すなわち、第１摘み９３を回転して、可動枠９２が適当な高さに達したとき、第２摘み９５を締めれば、第３固定ナット９９が可動枠９２に固定されているので、固定枠９１と可動枠９２は密着して固定される。
【００４２】
再び高さ調節が必要となれば、最初に位置固定ネジ９６を緩めて、固定枠９１と可動枠９２の密着を解除することになる。  
【符号の説明】
【００４３】
１，１Ａ    パッティング練習用器具
２     足台
２１   目印
３，３Ａ      パター
３１   パターシャフト
３２   パターシャフト延長線
３３   パターヘッド
４，４Ａ      回動支持板
４１，４１Ａ  垂直部
４２，４２Ａ  延長部
４３，４３Ａ  支持板
４４，４４Ａ  ナット
４５   ナット
４６，４６Ａ  回動軸
４６１ ベアリング
４７，４７Ａ    腰当て
４８，４８Ａ  腰当て支持部
４９，４９Ａ  長孔
５，５Ａ      連結アーム
５１，５２    軸受
６     軸線
７，７Ａ      ボール
６１   パター回転中心
６２   股関節
６３   肩
８１   パターヘッド３３の移動軌跡
８２   想像上の球体
８３   パターの回転中心６１における球体８２を切った平面円
８４   グリーン
８５   ゴルファーの肩幅
９     調節機構
９１   固定枠
９２   可動枠
９３   第１摘み
９４   調整ボルト
９５   第２摘み
９６   位置固定ネジ
９７   第１固定ナット
９８   第２固定ナット
９９   第３固定ナット
【要約】      （修正有）【課題】ゴルフパターに回動中心を設けるという発想に基づいた、新規なパッティング練習用器具を提供する。【解決手段】少なくとも使用時には練習用パター３が装着されるパッティング練習用器具である。ゴルファーの背後に位置する回動支持板４と、練習用パター３と回動支持板４を連結する、回動可能な連結アーム５を有する。回動支持板４は、連結アーム５の回動中心となる回動軸４６を有する。ゴルファーの股関節６２を安定化させる、高さ調節可能な腰当て４７を設けることが好ましい。回動軸４６の高さは変更可能である。【選択図】図２【図１】
0005827392.tif 000002
【図２】
0005827392.tif 000003
【図３】
0005827392.tif 000004
【図４】
0005827392.tif 000005
【図５】
0005827392.tif 000006
【図６】
0005827392.tif 000007
【図７】
0005827392.tif 000008